(57)【要約】【課題】消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュールを提供する。【解決手段】照明モジュール（１Ａ）の導光板（１０）は、互いに対向する第１の端面１０ａと第２の端面１０ｂとから入射されて内部を導光する光の一部を第１面（１１）から外部に出射させる光出射構造部（１３）を該第１面（１１）の対向面である該導光板（１０）の少なくとも裏面である第２面（１２）に有している。光出射構造部（１３）は、第１ＬＥＤ（４ａ）からの光と第２ＬＥＤ（４ｂ）からの光とでは、出射される光の光量の比率が異なる光出射特性を有していることにより光出射特性が異なっている。第１ＬＥＤ（４ａ）及び第２ＬＥＤ（４ｂ）は、入射光量をそれぞれ独立して制御可能である。【選択図】図１
2014146551.tif 000002
【特許請求の範囲】
【請求項１】
互いに対向する第１の端面と第２の端面とから入射した光を導光して光出射面から出射する透光性を有する導光部材と、上記導光部材の第１の端面に光を入射する第１の光源と、上記導光部材の第２の端面に光を入射する第２の光源とを備えた照明モジュールであって
上記導光部材は、該導光部材の内部を導光する光の一部を光出射面側に導いて光出射面から外部に出射させる光出射構造部を該光出射面の対向面である該導光部材の少なくとも裏面に有しており、
上記光出射構造部は、上記第１の光源からの光と上記第２の光源からの光とでは、上記導光部材の内部を導光する光の光量に対する光出射面から出射される光の光量の比率が異なる光出射特性を有していることにより光出射特性が異なっており、
上記第１の光源及び上記第２の光源は、上記導光部材内部に入射される光量をそれぞれ独立して制御可能となっていることを特徴とする照明モジュール。
【請求項２】
前記光出射構造部は、前記導光部材の裏面に形成された複数の凹部からなっており、
上記凹部からなる光出射構造部の側壁面は、前記第１の光源側と前記第２の光源側とで互いに非対称な形状に形成されていることを特徴とする請求項１記載の照明モジュール。
【請求項３】
前記光出射構造部における凹部の側壁は、前記導光部材の裏面に対して傾斜した形状又は垂直に切り立った形状にてなっており、
上記光出射構造部における凹部の側壁と上記導光部材の裏面とのなす角度は、前記第１の光源側の側壁と前記第２の光源側の側壁とでは異なっていることを特徴とする請求項２記載の照明モジュール。
【請求項４】
前記導光部材の表面に前記光出射面である第１の光出射面が形成され、かつ該導光部材の裏面に該光出射面である第２の光出射面が形成されていると共に、
上記導光部材の内部を導光する光の一部を上記第１の光出射面側に導いて上記第１の光出射面から外部に出射させる前記光出射構造部である第１の光出射構造部が上記第２の光出射面に形成されており、かつ上記導光部材の内部を導光する光の一部を上記第２の光出射面側に導いて該第２の光出射面から外部に出射させる上記光出射構造部である第２の光出射構造部が上記第１の光出射面に形成されており、
上記第１の光出射構造部と上記第２の光出射構造部とは、上記第１の光源からの光と上記第２の光源からの光のうち少なくとも一方に対する光出射特性が異なっていることを特徴とする請求項１，２又は３記載の照明モジュール。
【請求項５】
前記導光部材の裏面における第１領域に前記光出射構造部である第３の光出射構造部が形成されていると共に、上記第１領域と同一の面であって該第１領域とは異なる第２領域に前記光出射構造部である第４の光出射構造部が形成されており、
上記第３の光出射構造部と上記第４の光出射構造部とは、上記第１の光源からの光と上記第２の光源からの光のうち少なくとも一方に対する光出射特性が異なっていることを特徴とする請求項１〜４のいずれか１項に記載の照明モジュール。
【発明の詳細な説明】
【技術分野】
【０００１】
本発明は、互いに対向する第１の端面と第２の端面とから光を入射させる照明モジュールに関するものである。
【背景技術】
【０００２】
従来、住宅等におけるドア及び窓には視認性、採光性を考慮してすりガラス又はすりガラス状樹脂を用いることが多い。しかしながら、すりガラス及びすりガラス状樹脂は半透明であるために両面からの視認性という点において透明部材には劣ることとなる。
【０００３】
そこで、従来、例えば特許文献１に開示されているように、透明部材を浴室ドアに適用しつつ必要に応じて遮光する浴室ドアが知られている。この特許文献１に開示された浴室ドアは、浴室と脱衣室との間を仕切る二重構造の透明面材を組み込んだ浴室ドアであって、該透明面材間における上部に超高輝度ＬＥＤを配し通電することにより発光して透明面材に導光させ、透明面材を遮光するようになっている。
【先行技術文献】
【特許文献】
【０００４】
【特許文献１】特開２００６−２４１８７９（２００６年９月１４日公開）
【発明の概要】
【発明が解決しようとする課題】
【０００５】
しかしながら、上記従来の特許文献１に開示された照明モジュールでは、透明面材間の導光においてはＬＥＤ近傍での発光に比べて導光ロスがあるために、浴室ドア全体を発光させて遮光することは困難であり、ＬＥＤから距離が離れるに伴って遮光効果は低くなる。したがって、特許文献１に記載の効果を得るためには極めて高い輝度を有する光源を搭載する必要があり、光源部の大型化を招来すると共に、消費電力も極めて高いものとなり非効率である。
【０００６】
ここで、ドア又は窓の遮光を行う方法としては、例えば、シャッターを取り付けることも考えられ、これにより、透明状態と遮光状態との切り替えは可能である。しかし、シャッター等を取り付け場合には、シャッター駆動モータが必要となり、かつ取り付けが困難である場合もある。また、シャッターによる遮光状態においては内外の光の行き来を完全にシャットアウトするために両面のいずれにおいても視認性はゼロになってしまう。このため、一方の面に対しては遮光性を有し、他方の面に対しては透光性を有するということはできない。
【０００７】
本発明は、上記従来の問題点に鑑みなされたものであって、その目的は、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュールを提供することにある。
【課題を解決するための手段】
【０００８】
本発明の一態様における照明モジュールは、上記の課題を解決するために、互いに対向する第１の端面と第２の端面とから入射した光を導光して光出射面から出射する透光性を有する導光部材と、上記導光部材の第１の端面に光を入射する第１の光源と、上記導光部材の第２の端面に光を入射する第２の光源とを備えた照明モジュールであって、上記導光部材は、該導光部材の内部を導光する光の一部を光出射面側に導いて光出射面から外部に出射させる光出射構造部を該光出射面の対向面である該導光部材の少なくとも裏面に有しており、上記光出射構造部は、上記第１の光源からの光と上記第２の光源からの光とでは光出射特性が異なっており、上記第１の光源及び上記第２の光源は、上記導光部材内部に入射される光量をそれぞれ独立して制御可能となっていることを特徴としている。
【発明の効果】
【０００９】
本発明の一態様によれば、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュールを提供するという効果を奏する。
【図面の簡単な説明】
【００１０】
【図１】（ａ）は本発明の実施の形態１における照明モジュールの構成を示す正面図であり、（ｂ）は第１の光源による照明モジュールの点灯制御を示す（ａ）のＡ−Ａ’線断面図であり、（ｃ）は第２の光源による照明モジュールの点灯制御を示す（ａ）のＡ−Ａ’線断面図である。
【図２】（ａ）は上記照明モジュールの構成を示す正面図であり、（ｂ）は照明モジュールの構成を示す側面図であり、（ｃ）は照明モジュールの構成を示す要部側面図である。
【図３】上記照明モジュールにおける凹部からなる光出射構造部の構成を示す斜視図である。
【図４】（ａ）は上記照明モジュールにおける第１の光源の入射方向に直交する側から見た導光板の構成、及び第１の光源の点灯時における光の導光方向を示す断面図であり、（ｂ）は第２の光源の入射方向に直交する側から見た導光板の構成、及び第２の光源の点灯時における光の導光方向を示す断面図である。
【図５】（ａ）（ｂ）（ｃ）は、第１の入光面からの入射光に対して傾斜角度αにて傾斜するプリズムからなる光出射構造部の光路変換の軌跡を示す断面図であり、（ｄ）（ｅ）（ｆ）は、第２の入光面からの入射光に対して傾斜角度βにて傾斜するプリズムからなる光出射構造部の光路変換の軌跡を示す断面図である。
【図６】上記照明モジュールにおける凹部からなる光出射構造部の側壁の傾斜角度と光出射面から取り出される光の光強度との関係を示すグラフである。
【図７】（ａ）は本発明の実施の形態２における照明モジュールの構成を示す正面図であり、（ｂ）は上記照明モジュールにおける第１の光源の入射方向に直交する側から見た導光板の構成、及び第１の光源の点灯時における光の導光方向を示す断面図であり、（ｃ）は第２の光源の入射方向に直交する側から見た導光板の構成、及び第２の光源の点灯時における光の導光方向を示す断面図である。
【図８】（ａ）は本発明の実施の形態３における照明モジュールを備えたドア照明装置において、第１の光源を点灯したときの照明状態を示す側面図であり、（ｂ）はドア照明装置において第２の光源を点灯したときの照明状態を示す側面図であり、（ｃ）はドア照明装置において第１の光源及び第２の光源の両方を点灯したときの照明状態を示す側面図である。
【図９】（ａ）は本発明の実施の形態４における照明モジュールを備えた窓照明装置における非点灯状態を示す断面図であり、（ｂ）は上記照明モジュールを備えた窓照明装置における点灯状態を示す断面図である。
【図１０】（ａ）は、本発明の実施の形態５における照明モジュールを備えた電飾看板の概略構成を示す断面図であり、（ｂ）は、上記電飾看板の構成を示す正面図である。
【発明を実施するための形態】
【００１１】
〔実施の形態１〕
本発明の一実施形態について図１〜図６に基づいて説明すれば、以下のとおりである。
【００１２】
本実施の形態では、本発明の照明モジュールが、例えば住宅用ドアに取り付けられるドア照明装置に用いる場合について説明する。尚、本発明のドア照明装置は、ドアの一部に対してはめ込まれているか又はそれ自体でドアを構成していてもよい。また、ドア照明装置は、玄関ドア及び風呂用ドア等の住宅用ドアの外、店舗用ドア、オフィス用ドア又は各種施設用ドアへの適用が可能である。さらに、本発明の照明モジュールは、ドア照明装置に限らず、天窓を含む窓の窓照明装置にも適用が可能であると共に、ドアや窓以外のパーティション等の住宅用建材、建造物の壁面や床面、戸棚やキッチン収納等の家具、門柱、又は公共向けエクステリア（フェンス、サイン、掲示板、誘導灯、手すり等）に組み込まれてもよい。また、電飾看板等の表示装置に適用することも可能である。
【００１３】
（照明モジュールの構成）
本実施の形態の照明モジュールの構成について、図２（ａ）（ｂ）（ｃ）に基づいて説明する。図２（ａ）は照明モジュールの構成を示す正面図であり、図２（ｂ）は照明モジュールの構成を示す側面図であり、図２（ｃ）は照明モジュールの構成を示す要部側面図である。
【００１４】
本実施の形態の照明モジュール１Ａは、図２（ａ）（ｂ）（ｃ）に示すように、導光部材としての導光板１０、保護用ガラス３、第１の光源としての第１ＬＥＤ（Light Emitting Diode：発光ダイオード）４ａ及び第２の光源としての第２ＬＥＤ４ｂ、導光板保持部５並びにフレーム６を備えている。この照明モジュール１Ａは、例えば、２つの部屋を仕切る壁に設けられたドアに取り付けられている。
【００１５】
上記照明モジュール１Ａでは、第１ＬＥＤ４ａ及び第２ＬＥＤ４ｂから出射された光は導光板１０によって導光され、導光板１０の表面及び光出射面としての第１面１１から主に出射される。この光によって導光板１０の第１面１１の側から、導光板１０における該第１面１１と対向する導光板１０の裏面としての第２面１２の側に位置する物体を見たときの視認性を低下させることができる。
【００１６】
次に各部材の構成について説明する。
【００１７】
導光板１０は、導光板保持部５に形成された溝にはめ込まれることにより、フレーム６に固定されるようになっている。導光板１０の第１面１１及び第２面１２の形状は、例えば、方形からなっている。ただし、導光板１０の形状は、必ずしも方形である必要はなく、他の多角形でもよく、又は円形等のその他の図形でもよい。また、導光板１０は平板である必要はなく、湾曲していてもよい。
【００１８】
また、導光板１０は、例えば、メタクリル樹脂、アクリル系樹脂、ポリカーボネート系樹脂、ポリエステル系樹脂、塩化ビニル系樹脂等の透過率の高い合成樹脂からなっており、透光性を有している。このため、第１ＬＥＤ４ａ及び第２ＬＥＤ４ｂが点灯していない状態においては、一方の部屋からの光は導光板１０を透過して他方の部屋へ入射する。したがって、両室から互いの部屋を臨めるようになる。
【００１９】
また、図１（ａ）（ｂ）（ｃ）に示すように、導光板１０の第１面１１及び第２面１２には、凹部からなる光出射構造部１３・１３が設けられており、第１ＬＥＤ４ａ及び第２ＬＥＤ４ｂの点灯時には、凹部からなる光出射構造部１３・１３によって第１ＬＥＤ４ａ及び第２ＬＥＤ４ｂから出射された光の配光制御（配向制御）が行われる。凹部からなる光出射構造部１３・１３は、導光板１０の内部を伝搬する光の伝搬方向を変化させる光学部材であり、略同一形状の複数の凹部が第１面１１及び第２面１２に形成されている。この凹部は、導光板１０の第１面１１及び第２面１２において、約２５０μｍの間隔でマトリクス状に形成されている。１つの凹部は、例えば縦３０μｍ、横３０μｍの開口部を有する、深さ１５μｍからなっている。第１面１１及び第２面１２に対する凹部の占有率は、例えば、１．４％であるが、当該占有率は適宜設定されればよい。占有率が高くなれば、導光板１０の透光性が低下し、第１ＬＥＤ４ａ及び第２ＬＥＤ４ｂを点灯しない状態においても導光板１０を通して屋内の物体を見たときの視認性が低下する。逆に、占有率が低ければ、導光板１０の透光性は高くなる。ただし、導光板１０からの出射光は少なくなるために、適宜設定を行う必要がある。尚、光出射構造部１３の凹部の詳細については後述する。
【００２０】
上記保護用ガラス３・３は、導光板１０を保護するためのガラス板であり、導光板１０の第１面１１側及び第２面１２側にそれぞれ配置されている。この保護用ガラス３は、導光板保持部５とフレーム６とに狭持されることによって、その位置が固定されている。
【００２１】
尚、保護用ガラス３に赤外線カット機能及び／又は紫外線カット機能を持たせてもよい。また、保護用ガラス３は建材用構造体としては不燃及び難燃、耐環境性、防犯性等を鑑みるとガラスが有効であるが、用途によってはガラスに限るものではなく、合成樹脂や薄膜金属等も使用可能である。また、保護用ガラスは無色透明である必要はなく、色付けや加飾によりデザイン性を持たせることも可能である。
【００２２】
上記第１ＬＥＤ４ａ及び第２ＬＥＤ４ｂは、照明用の光源であり、本実施の形態では、図１（ａ）に示すように、導光板１０の互いに対向する第１の端面１０ａと第２の端面１０ｂとの近傍にそれぞれ配置されている。
【００２３】
第１ＬＥＤ４ａ及び第２ＬＥＤ４ｂの出力は、特に限定されないが、第１面１１及び第２面１２から出射される光によってプライバシー保護効果が得られる程度の出力とする。第１ＬＥＤ４ａ及び第２ＬＥＤ４ｂの出力をユーザが調節できる構成としてもよい。
【００２４】
第１ＬＥＤ４ａ及び第２ＬＥＤ４ｂから出射される光は可視光（４００ｎｍ以上、７８０ｎｍ以下）であればよく、例えば白色であるが、当該光の色は特に限定されない。第１ＬＥＤ４ａ及び第２ＬＥＤ４ｂの点灯／非点灯の切り替えは、第１ＬＥＤ４ａ及び第２ＬＥＤ４ｂに供給される駆動電力の供給制御を行う図示しない電源制御装置によって行われ、該電源制御装置は、照明モジュール１Ａの内部にあっても外部にあってもよい。
【００２５】
上記電源制御装置は、例えば、屋内の壁面に配設されたスイッチである。ここで、電力供給は、ドアの場合においては、金属ヒンジを介して供給、非接触方式による供給、ドア内に設置した電池による供給、本照明モジュールと一体化した太陽電池による供給、等が可能である。
【００２６】
また、第１ＬＥＤ４ａ及び第２ＬＥＤ４ｂは、複数のＬＥＤが共通の基板上に配列されたＬＥＤバーであってもよく、個別のＬＥＤ基板を配列させてもよい。また、互いに異なる波長の光を出射する複数種類の第１ＬＥＤ４ａ及び第２ＬＥＤ４ｂを組み合わせて用いてもよい。
【００２７】
また、照明用の光源として、ＬＥＤ以外の光源を用いてもよい。例えば、半導体レーザと蛍光体との組み合わせを光源として用いてもよい。
【００２８】
上記導光板保持部５は、図２（ｂ）（ｃ）に示すように、導光板１０を保持することにより、フレーム６に対する導光板１０の相対位置を固定するものである。導光板保持部５は、フレーム６の一部であってもよい。
【００２９】
上記導光板保持部５の材質は、例えば、金属であり、特に、軽量化及び放熱の観点からアルミニウムであることが好ましいが、特に限定されない。
【００３０】
また、導光板保持部５は、導光板１０の４辺のうちの少なくとも１辺を保持すればよいが、導光板１０が有する鉛直上側の端部を保持することによって、鉛直下側の端部を保持するよりも安定的に導光板１０を保持することができる。
【００３１】
上記フレーム６は、照明モジュール１Ａの外枠を形成する部材であり、例えば、アルミニウム（Ａｌ）等の金属からなるものであるが、フレーム６の材質は、特に限定されない。
【００３２】
（照明モジュールの透光性・遮光性の切り替え制御及び照明の明るさの調整）
本実施の形態の照明モジュール１Ａにおいては、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール、ドア照明装置及び窓照明装置を提供するものとなっている。
【００３３】
以下、このような目的を達成するための照明モジュール１Ａの構成について、図１（ａ）（ｂ）（ｃ）に基づいて以下に詳細に説明する。図１（ａ）は本実施の形態における照明モジュール１Ａの構成を示す正面図であり、図１（ｂ）は第１の光源による照明モジュール１Ａの点灯制御を示す図１（ａ）のＡ−Ａ’線断面図であり、図１（ｃ）は第２の光源による照明モジュールの点灯制御を示す図１（ａ）のＡ−Ａ’線断面図である。
【００３４】
まず、本実施の形態の照明モジュール１Ａでは、第１ＬＥＤ４ａ及び第２ＬＥＤ４ｂは、図１（ａ）に示すように、方形の導光板１０の互いに対向する一対の２辺の端部に設けられている。一方は導光板１０の一方の側端面である第１の端面１０ａに配設された第１の光源としての第１ＬＥＤ４ａであり、他方は導光板１０の他方の側端面である第２の端面１０ｂに配設された第２の光源としての第２ＬＥＤ４ｂである。本実施の形態では、第１ＬＥＤ４ａ及び第２ＬＥＤ４ｂは、方形の導光板１０の互いに対向する第１の端面１０ａ及び第２の端面１０ｂに配置されている。
【００３５】
この結果、本実施の形態の照明モジュール１Ａでは、第１ＬＥＤ４ａ及び第２ＬＥＤ４ｂを用いて互いに対向する導光板１０の第１の端面１０ａ及び第２の端面１０ｂから光を入射するようになっている。
【００３６】
また、本実施の形態の照明モジュール１Ａでは、図１（ｂ）（ｃ）に示すように、導光板１０の第１面１１及び第２面１２には光出射構造部１３が形成されている。
【００３７】
その結果、上記導光板１０の両面に設けた光出射構造部１３・１３によって、第１ＬＥＤ４ａ及び第２ＬＥＤ４ｂから入射したそれぞれの光は導光板１０の内部を導光し、その一部が光出射構造部１３にて光出射面である第１面１１又は第２面１２側に導かれ、第１面１１又は第２面１２から外部に出射されるようになっている。
【００３８】
ここで、本実施の形態の照明モジュール１Ａにおける光出射構造部１３の具体的構成について、図３及び図４に基づいて説明する。図３は凹部からなる光出射構造部の構成を示す斜視図である。図４（ａ）は第１の光源の入射方向に直交する側から見た導光板の構成、及び第１の光源の点灯時における光の導光方向を示す断面図であり、図４（ｂ）は第２の光源の入射方向に直交する側から見た導光板の構成、及び第２の光源の点灯時における光の導光方向を示す断面図である。
【００３９】
図３に示すように、本実施の形態の照明モジュール１Ａでは、光出射構造部１３は、導光板１０の両面に形成された複数の凹部からなっているとすることができる。
【００４０】
これにより、導光板１０の両面である第１面１１及び第２面１２に形成された複数の凹部からなる光出射構造部１３は反射プリズムとして機能するので、光出射面側に光を反射することにより光出射面である第２面１２及び第１面１１から光を出射することができる。
【００４１】
また、本実施の形態の凹部からなる光出射構造部１３は、図３に示すように、三角柱を横に倒した凹部となっている。そして、本実施の形態では、図４（ａ）（ｂ）に示すように、導光板１０の第１面１１に形成された三角柱を横に倒した凹部からなる光出射構造部１３は、第１面１１と同一面に辺を有する断面三角形となっており、その辺の両端の傾斜角度が互いに異なっている。具体的には、断面三角形の傾斜角度はα及びβとなっており、第１面１１に複数配列された全ての光出射構造部１３は、傾斜角度αの側面壁が第１ＬＥＤ４ａ側に対向している一方、傾斜角度βの側面壁が第２ＬＥＤ４ｂ側に対向している。ここで、断面三角形の傾斜角度αは例えば鋭角であり、断面三角形の傾斜角度βは例えば直角、又は直角に近い鋭角となっている。この結果、傾斜角度α＜傾斜角度βとなっており、第１面１１に形成された三角柱を横に倒した凹部からなる光出射構造部１３は、第２ＬＥＤ４ｂに対向する側の側面壁の傾斜角度αが、第２ＬＥＤ４ｂに対向する側の側面壁の傾斜角度βよりも小さいものとなっている。この結果、凹部からなる光出射構造部１３の側壁面は、第１ＬＥＤ４ａ側と第２ＬＥＤ４ｂ側とで互いに非対称な形状に形成されている。
【００４２】
一方、本実施の形態では、図４（ａ）（ｂ）に示すように、導光板１０の第２面１２にも三角柱を横に倒した凹部からなる光出射構造部１３が複数形成されている。この導光板１０の第２面１２に形成された三角柱を横に倒した凹部からなる光出射構造部１３は、上記の導光板１０の第１面１１に形成された三角柱を横に倒した凹部からなる光出射構造部１３とは、傾斜角度α’・β’が互いに逆向きとなっている。すなわち、第２面１２に複数配列された全ての光出射構造部１３は、傾斜角度α’＝傾斜角度α、及び傾斜角度β’＝傾斜角度βとなっていると共に、傾斜角度α’の側面壁が第１ＬＥＤ４ａ側に対向している一方、傾斜角度β’の側面壁が第２ＬＥＤ４ｂ側に対向している。この結果、傾斜角度α’＜傾斜角度β’となっており、第２面１２に形成された三角柱を横に倒した凹部からなる光出射構造部１３は、第１ＬＥＤ４ａに対向する側の側面壁の傾斜角度α’が、第２ＬＥＤ４ｂに対向する側の側面壁の傾斜角度β’よりも小さいものとなっている。
【００４３】
上記傾斜角度α・β及び傾斜角度α’・β’は、いすれも９０度以下となっていることが光出射面である第１面１１及び第２面１２からの出射光の出射角度の制御及び穿設の行い易さの観点から好ましい。
【００４４】
尚、本実施の形態では、傾斜角度α’＝傾斜角度α、及び傾斜角度β’＝傾斜角度βとしているが、必ずしもこのようにする必要はない。
【００４５】
このように、光出射構造部１３における凹部の側壁の傾斜角度α・β及び傾斜角度α’・β’が、第１ＬＥＤ４ａからの光の方向と第２ＬＥＤ４ｂからの光の方向との二方向で異なることにより光出射特性に違いを生じさせることができる。
【００４６】
すなわち、凹部からなる光出射構造部１３の側壁の傾斜角度α・β及び傾斜角度α’・β’と光出射方向とには大きな相関がある。このため、傾斜角度α・β及び傾斜角度α’・β’の違いにより、二方向の光に対して光出射方向が異なるようにすることができる。
【００４７】
また、凹部からなる光出射構造部１３の側壁の傾斜角度α・β及び傾斜角度α’・β’を二方向の光に対して互いに異なるようにすることにより、光出射面である第１面１１及び第２面１２からの光出射率を異ならせるようにすることができる。
【００４８】
具体的には、図４（ａ）に示すように、第２面１２に形成された凹部からなる光出射構造部１３の側壁は、第１ＬＥＤ４ａに対向する傾斜角度α’が、第２ＬＥＤ４ｂに対向する傾斜角度β’よりも小さいので、垂直方向への反射が大きくなり、第１面１１からの取り出し光量が大きくなる。一方、第１面１１に形成された凹部からなる光出射構造部１３の側壁は、第１ＬＥＤ４ａに対向する傾斜角度βが、第２ＬＥＤ４ｂに対向する傾斜角度αよりも大きいので、そのまま、光出射構造部１３を透過して行く。したがって、光は導光板１０から出射されないか又は第２面１２からの取り出し光量が小さいものとなる。
【００４９】
これに対して、図４（ｂ）に示すように、第１面１１に形成された凹部からなる光出射構造部１３の側壁は、第２ＬＥＤ４ｂに対向する傾斜角度αが、第１ＬＥＤ４ａに対向する傾斜角度βよりも小さいので、垂直方向への反射が大きくなり、第２面１２からの取り出し光量が大きくなる。一方、第２面１２に形成された凹部からなる光出射構造部１３の側壁は、第２ＬＥＤ４ｂに対向する傾斜角度β’が、第１ＬＥＤ４ａに対向する傾斜角度α’よりも大きいので、そのまま、光出射構造部１３を透過して行く。したがって、光は導光板１０から出射されないか、又は第１面１１からの取り出し光量が小さいものとなる。
【００５０】
ここで、凹部からなる光出射構造部１３の側壁の傾斜角度α・βによる導光板１０内の光路変換について、図５（ａ）〜（ｆ）を用いて詳細に説明する。図５（ａ）（ｂ）（ｃ）は、第１の入光面としての第１の端面１０ａからの入射光に対して傾斜角度αにて傾斜するプリズムからなる光出射構造部１３の光路変換の軌跡を示す断面図であり、図５（ｄ）（ｅ）（ｆ）は、第２の入光面としての第２の端面１０ｂからの入射光に対して傾斜角度βにて傾斜するプリズムからなる光出射構造部１３の光路変換の軌跡を示す断面図である。また、図５（ａ）〜（ｆ）においては、第２面１２に断面形状が三角形を有する凹部が形成されており、第２の出射面としての第２面１２と第１の入光面である第１の端面１０ａに対向する側壁面とのなす傾斜角度をα、第２の出射面としての第２面１２と第２の入光面である第２の端面１０ｂに対向する側壁面とのなす傾斜角度をβとしている。さらに、傾斜角度α＝４５°、傾斜角度β＝９０°であり、傾斜角度α＜傾斜角度βとなっている。
【００５１】
まず、図５（ａ）（ｂ）に示すように、第１の入光面である第１の端面１０ａから導光板１０に入射された光は、傾斜角度αの側壁面にて全反射されることにより、光出射構造部１３が形成されている第２の出射面である第２面１２に対向する第１の出射面としての第１面１１から出射する光線となる。一方、図５（ｃ）に示すように、第１の入光面である第１の端面１０ａから導光板１０に入射された光が、傾斜角度αの側壁面にて全反射されない場合には、該光は傾斜角度αの側壁面を透過し、傾斜角度βの側壁面を透過して導光板１０に再度入射する。その結果、該光は、導光板１０からの出射には至らない光線となる。
【００５２】
次に、第２の入光面である第２の端面１０ｂから導光板１０に入射された光は、傾斜角度βの側壁面にて透過され、その透過光は、図５（ｄ）（ｅ）に示すように、傾斜角度αの側壁面から導光板１０に再入射されるか、又は図５（ｆ）に示すように、傾斜角度αの側壁面にて全反射されて第２面１２から出射する光線となる。
【００５３】
この結果、第２の入光面である第２の端面１０ｂから導光板１０に入射された光は、傾斜角度βの側壁面に対してはいずれも第１の出射面である第１面１１への出射光は無く、図５（ｄ）（ｅ）の場合には出射には至らず、図５（ｆ）の場合には第２の出射面である第２面１２への出射となる。
【００５４】
すなわち、光出射構造部１３の傾斜角度βの側壁面への光線においては、第１の出射面である第１面１１での出射は無く、出射に寄与しない光路変換構造であるといえる。
【００５５】
以上のことから、光出射構造部１３の傾斜角度αの側壁面はより光取り出しに寄与するのに対して、光出射構造部１３の傾斜角度βの側壁面は光取り出しに殆ど寄与しない。つまり、光線から見て取り出し構造とはならない。
【００５６】
この結果、本実施の形態の照明モジュール１Ａにおいては、上記の原理を利用して両面制御型の照明モジュール１Ａを実現するようになっている。
【００５７】
ここで、光出射構造部１３の傾斜角度と光取り出しとの相関を、図６に基づいてより詳細に説明する。図６は、照明モジュール１Ａにおける凹部からなる光出射構造部の側壁の傾斜角度と光出射面から取り出される光の光強度との関係を示すグラフである。
【００５８】
図６に示すように、凹部からなる光出射構造部１３の側壁面の傾斜角度と光出射面である第１面１１から取り出される光の光強度との関係は、導光板１０に並行に導光する光に対しては凹部からなる光出射構造部１３の側壁の傾斜角度が５０°付近が最も光出射率が高く、傾斜角度が８０°付近はそれに対して１０分の１程度の光出射率となる。この理由は、傾斜角度が５０°付近のときに光出射面である第１面１１に垂直に光が反射されるため、導光板１０の表面つまり光出射面である第１面１１において全反射条件を破って外部に出射され易いためである。
【００５９】
この結果、光を取り出すためには５０°近傍の傾斜面、光取り出しを抑えるためには８０°近傍にする必要がある。詳細には、３０°＜傾斜角度α及び傾斜角度α’＜７０°、８０°＜傾斜角度β及び傾斜角度β’≦９０°が好ましく、傾斜角度α及び傾斜角度α’＝４５°、傾斜角度β及び傾斜角度β’＝９０°がより好ましい。
【００６０】
このように、本実施の形態の凹部からなる光出射構造部１３においては、光出射構造部１３の傾斜角度α・β及び傾斜角度α’・β’を制御することによって光出射率を制御することが可能となる。
【００６１】
上記構成の照明モジュール１Ａの透光性・遮光性の切り替え制御について、図１（ａ）（ｂ）（ｃ）に基づいて、以下に説明する。
【００６２】
まず、図１（ａ）（ｂ）（ｃ）に示すように、本実施の形態においては、互いに対向する二方向の側壁の傾斜角度α・βが異なる三角柱の凹部からなる光出射構造部１３を導光板１０の表面である第１面１１と裏面である第２面１２との両方に設けている。ただし、第１面１１の三角柱の凹部からなる光出射構造部１３の前記傾斜角度α・βと、第２面１２の三角柱の凹部からなる光出射構造部１３の前記傾斜角度α’・β’とは互いに逆向きとなっている。
【００６３】
そして、第２の出射面である第２面１２側に形成される三角柱の凹部からなる光出射構造部１３の第１の端面１０ａに対向する側壁面は、該第２面１２に対する傾斜角度α’が例えば４５°であると共に、第１の出射面である第１面１１側に形成される三角柱の凹部からなる光出射構造部１３の第１の入光面である第１の端面１０ａに対向する側壁面は、該第１面１１に対する傾斜角度βが例えば９０°である。したがって、傾斜角度βは、傾斜角度α’よりも大きくなっている。
【００６４】
これにより、図１（ｂ）に示すように、第１ＬＥＤ４ａを点灯した場合には、第１の出射面である第１面１１からの出射光Ｌａ１の光量を第２の出射面である第２面１２からの出射光Ｌａ２の光量よりも多くすることができる。尚、導光板１０の第２面１２から出射光Ｌａ２は僅かに出射されるのみである。
【００６５】
この結果、導光板１０の第１面１１側の外方から照明モジュール１Ａを見た場合には、導光板１０が面状発光体となるので、透光性が無くなり遮光性を有するものとなる。これに対し、導光板１０の第２面１２側の外方から照明モジュール１Ａを見た場合には、導光板１０からは光が僅かしか出射されてこないので透光性を有し、導光板１０の裏面である第２面１２側から導光板１０の第１面１１側の外方を見ることができる。
【００６６】
一方、図１（ａ）（ｃ）に示すように、第２ＬＥＤ４ｂを点灯した場合には、第１面１１の三角柱の凹部からなる光出射構造部１３の前記傾斜角度α・βと、第２面１２の三角柱の凹部からなる光出射構造部１３の前記傾斜角度α’・β’とは互いに逆向きとなっているので、第２面１２からの出射光Ｌｂ２の光量を第１面１１の出射光Ｌｂ１の光量よりも多くすることが可能になる。尚、導光板１０の第１面１１から出射光Ｌｂ１は僅かに出射されるのみである。
【００６７】
この結果、導光板１０の裏面である第２面１２側の外方から照明モジュール１Ａを見た場合には、導光板１０が面状発光体となるので、透光性が無くなり遮光性を有するものとなる。これに対し、導光板１０の第１面１１側の外方から照明モジュール１Ａを見た場合には、導光板１０からは光が僅かしか出射されてこないので透光性を有し、導光板１０の表面である第１面１１側から導光板１０の第２面１２側の外方を見ることができる。
【００６８】
次に、第１ＬＥＤ４ａ及び第２ＬＥＤ４ｂの両方を点灯させることによって、第１面１１及び第２面１２の両面を同等の光量で発光させることができる。
【００６９】
さらに、第１ＬＥＤ４ａ及び第２ＬＥＤ４ｂの両方をオフにすれば、導光板１０は透光性を有しているので、照明モジュール１Ａは透光性を有している。
【００７０】
このように、第１ＬＥＤ４ａ若しくは第２ＬＥＤ４ｂのいずれか一方又は第１ＬＥＤ４ａ及び第２ＬＥＤ４ｂの両方をオン又はオフにすれば、導光板１０の第１面１１及び第２面１２側から見た場合の透光性及び遮光性の切り替えが可能となる。
【００７１】
また、本実施の形態では、第１ＬＥＤ４ａ及び第２ＬＥＤ４ｂは、導光板１０の内部に入射される光量をそれぞれ独立して制御可能となっている。これにより、光量に差を設けた第１ＬＥＤ４ａ又は第２ＬＥＤ４ｂでの点灯により、導光板１０の第１面１１から出射される明るさに差を設けることができる。例えば、導光板１０の第１面１１から出射される光の明るさと第２面１２から出射される光の明るさの比を３：１〜１０：１等に変化させることができる。
【００７２】
この結果、照明の明るさを調整し得る照明モジュール１Ａを提供することができる。また、照明の明るさを調整することができるということは、透光性及び遮光性の段階的切り替えを行うことができるものとなる。
【００７３】
また、本実施の形態では、第１ＬＥＤ４ａと第２ＬＥＤ４ｂとを用いて対向する二方向から導光板１０に光を入射させるので、第１ＬＥＤ４ａから遠方の光量不足となる領域に対しては、第２ＬＥＤ４ｂにて光量を補うことができる。例えば、第１ＬＥＤ４ａと第２ＬＥＤ４ｂからの距離に応じて、三角柱の凹部からなる光出射構造部１３の傾斜角度α・β及び傾斜角度α’・β’を適宜調整しておくことが可能である。
【００７４】
このため、導光板１０の第１面１１における全領域から充分に光を出射することができるので、全面の遮光性を確保することができる。さらに、電力量を増加して第１ＬＥＤ４ａのみで遠方の光量不足となる領域に対しても光量を十分にするよりも、第１ＬＥＤ４ａと第２ＬＥＤ４ｂとを用いて二方向から導光板１０に光を入射させた方が、結果的に電力量が小さくなる。
【００７５】
したがって、消費電力を抑えて全面の遮光性を確保し得ると共に、第１面１１側からの透光性及び遮光性の切り替えが可能であり、かつ透光性及び遮光性の段階的切り替え、及び照明の明るさの調整が可能となる照明モジュール１Ａを提供することができる。
【００７６】
尚、本実施の形態では、可動シャッター等の可動部材を可動させて光出射特性を制御する方式に比べて光出射特性の制御が容易である。
【００７７】
また、本実施の形態の照明モジュール１Ａでは、光出射構造部１３は導光板１０の両面に設けられているが、本発明においては、必ずしもこれに限らず、光出射構造部１３は導光板１０の片面にのみ設けられていてもよい。
【００７８】
〔実施の形態２〕
本発明の他の実施の形態について図７に基づいて説明すれば、以下のとおりである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００７９】
前記実施の形態１の照明モジュール１Ａにおいては、導光板１０の両面に互いに対向する二方向の側壁の傾斜角度α・β及び傾斜角度α’・β’が互いに異なる三角柱の凹部からなる光出射構造部１３が設けられていた。しかし、本実施の形態の照明モジュール１Ｂにおいては、導光板１０の片面の２つの領域に異なるタイプの凹部からなる光出射構造部１３が設けられて点が異なっている。
【００８０】
本実施の形態の照明モジュール１Ｂの構成について、図７（ａ）（ｂ）（ｃ）に基づいて説明する。図７（ａ）は照明モジュール１Ｂの構成を示す正面図であり、図７（ｂ）は照明モジュール１Ｂにおける第１の光源である第１ＬＥＤ４ａの入射方向に直交する側から見た導光板１０の構成、及び第１ＬＥＤ４ａの点灯時における光の導光方向を示す断面図であり、図７（ｃ）は照明モジュール１Ｂにおける第２の光源である第２ＬＥＤ４ｂの入射方向に直交する側から見た導光板の構成、及び第２ＬＥＤ４ｂの点灯時における光の導光方向を示す断面図である。
【００８１】
本実施の形態の照明モジュール１Ｂは、図７（ａ）に示すように、導光板１０の裏面における第１領域としての第１表示領域Ｓ１に第３の光出射構造部としての光出射構造部１３が形成されていると共に、第１表示領域Ｓ１と同一の面であって第１表示領域Ｓ１とは異なる第２領域としての第２表示領域Ｓ２に第４の光出射構造部としての光出射構造部１３が形成されている。
【００８２】
具体的には、第１表示領域Ｓ１に形成された第３の光出射構造部としての光出射構造部１３は、図７（ｂ）（ｃ）に示すように、第１ＬＥＤ４ａに対向する側壁面に傾斜角度α’を有する三角柱の複数の凹部となっている一方、第２表示領域Ｓ２に形成された第４の光出射構造部としての光出射構造部１３は、図７（ｂ）（ｃ）に示すように、第２ＬＥＤ４ｂに対向する側壁面に傾斜角度α’を有する三角柱の複数の凹部となっている。尚、傾斜角度α’＜傾斜角度β’である。
【００８３】
この結果、第３の光出射構造部である光出射構造部１３と第４の光出射構造部である光出射構造部１３とは、第１ＬＥＤ４ａからの光と第２ＬＥＤ４ｂからの光のうち少なくとも一方に対する光出射特性が異なっている。
【００８４】
この構成により、第１ＬＥＤ４ａを点灯した場合には、図７（ｂ）に示すように、第１表示領域Ｓ１を照明することができ、第２ＬＥＤ４ｂを点灯した場合には、図７（ｃ）に示すように、第２表示領域Ｓ２を照明することができる。
【００８５】
また、第１ＬＥＤ４ａ及び第２ＬＥＤ４ｂの両方を点灯した場合には、第１表示領域Ｓ１及び第２表示領域Ｓ２の両方を照明することができる。
【００８６】
これにより、本実施の形態の照明モジュール１Ｂでは、互いに対向する二方向の第１ＬＥＤ４ａ及び第２ＬＥＤ４ｂの出力制御により、導光板１０の出射領域を制御することができる。
【００８７】
〔実施の形態３〕
本発明の他の実施の形態について図８に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００８８】
本実施の形態では、前記実施の形態１の照明モジュール１Ａを備えたドア照明装置２０について説明する。
【００８９】
すなわち、本実施の形態のドア照明装置２０は、前記実施の形態１の照明モジュール１Ａを備えている。ここで、ドア照明装置２０は、照明モジュール１Ａがドアの一部に対してはめ込まれているか又はそれ自体でドアを構成していてもよい。また、ドア照明装置２０は、玄関ドア及び風呂用ドア等の住宅用ドアの外、店舗用ドア、オフィス用ドア又は各種施設用ドアへの適用が可能である。
【００９０】
上記の照明モジュール１Ａを備えたドア照明装置２０における点灯制御について、図８（ａ）（ｂ）（ｃ）に基づいて説明する。図８（ａ）は照明モジュール１Ａを備えたドア照明装置２０において第１の光源を点灯したときの照明状態を示す側面図であり、図８（ｂ）は該ドア照明装置２０において第２の光源を点灯したときの照明状態を示す側面図であり、図８（ｃ）は（ｂ）は該ドア照明装置２０において第１の光源及び第２の光源の両方を点灯したときの照明状態を示す側面図である。尚、図８（ａ）（ｂ）（ｃ）においては、前記図１（ｂ）（ｃ）に示す導光板１０の第１面１１及び第２面１２が互いに反対向きとなっている。
【００９１】
まず、図８（ａ）に示すように、導光板１０の下側に設けられた前記第１ＬＥＤ４ａを点灯したときには、導光板１０の第１面１１側の部屋Ａ側が照明される。
【００９２】
このため、導光板１０の第１面１１側の外方からドア照明装置２０を見た場合には、導光板１０が面状発光体となるので、透光性がなくなり遮光性を有するものとなる。また、導光板１０の裏面である第２面１２側の外方からドア照明装置２０を見た場合には、導光板１０からは光が僅かしか出射されてこないので透光性を有し、導光板１０の裏面である第２面１２側から導光板１０の第１面１１側の外方を見ることができる。
【００９３】
一方、図８（ｂ）に示すように、ドア照明装置２０において、導光板１０の上側に設けられた前記第２ＬＥＤ４ｂを点灯したときには、導光板１０の第２面１２側の部屋Ｂ側が照明される。
【００９４】
このため、導光板１０の第２面１２側の外方からドア照明装置２０を見た場合には、導光板１０が面状発光体となるので、透光性がなくなり遮光性を有するものとなる。また、導光板１０の表面である第１面１１側の外方からドア照明装置２０を見た場合には、導光板１０からは光が僅かしか出射されてこないので透光性を有し、導光板１０の表面である第１面１１側から導光板１０の第２面１２側の外方を見ることができる。
【００９５】
さらに、ドア照明装置２０において、前記第１ＬＥＤ４ａと第２ＬＥＤ４ｂとの両方を点灯したときには、図８（ｃ）に示すように、導光板１０の第１面１１側の部屋Ａ側と導光板１０の第２面１２側の部屋Ｂ側との両方が照明される。
【００９６】
このため、導光板１０の第１面１１及び第２面１２の両面が面状発光体となるので、いずれの外方からドア照明装置２０を見た場合においても、透光性がなくなり遮光性を有するものとなる。
【００９７】
この結果、第１ＬＥＤ４ａ及び第２ＬＥＤ４ｂの両方をオフにすれば、導光板１０は透光性を有しているので、ドア照明装置２０は透光性を有している。また、第１ＬＥＤ４ａ及び第２ＬＥＤ４ｂのいずれか一方をオンにすれば、ドア照明装置２０は、導光板１０のいずれか一方の外方からは遮光性を有し、他方の外方からは透光性を有する。さらに、第１ＬＥＤ４ａ及び第２ＬＥＤ４ｂの両方をオンにすれば、ドア照明装置２０は、両方の外方に対して遮光性を有する。
【００９８】
したがって、第１ＬＥＤ４ａ及び第２ＬＥＤ４ｂを切り替えて点灯することにより、ドア照明装置２０における透光性及び遮光性の切り替えが可能となる。
【００９９】
また、本実施の形態では、第１ＬＥＤ４ａ及び第２ＬＥＤ４ｂは、導光板１０の内部に入射される光量をそれぞれ独立して制御可能となっている。これにより、光量に差を設けた第１ＬＥＤ４ａ又は第２ＬＥＤ４ｂでの点灯により、導光板１０から出射される明るさに差を設けることができる。
【０１００】
この結果、照明の明るさを調整し得るドア照明装置２０を提供することができる。また、照明の明るさを調整することができるということは、透光性及び遮光性の段階的切り替えを行うことができるものとなる。
【０１０１】
また、本実施の形態では、第１ＬＥＤ４ａと第２ＬＥＤ４ｂとを用いて二方向から導光板１０に光を入射させるので、第１ＬＥＤ４ａから遠方の光量不足となる領域に対しては、第２ＬＥＤ４ｂにて光量を補うことができる。このため、導光板１０の第１面１１における全領域から充分に光を出射することができるので、全面の遮光性を確保することができる。さらに、電力量を増加して第１ＬＥＤ４ａのみで遠方の光量不足となる領域に対しても光量を十分にするよりも、第１ＬＥＤ４ａと第２ＬＥＤ４ｂとを用いて二方向から導光板１０に光を入射させた方が、結果的に電力量が小さくなる。
【０１０２】
したがって、消費電力を抑えて全面の遮光性を確保し得ると共に、第１面１１側からの透光性及び遮光性の切り替えが可能であり、かつ透光性及び遮光性の段階的切り替え、及び照明の明るさの調整が可能となるドア照明装置２０を提供することができる。
【０１０３】
〔実施の形態４〕
本発明の他の実施の形態について図９に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【０１０４】
本実施の形態では、前記実施の形態１及び実施の形態２に記載した照明モジュール１Ａ・１Ｂを窓照明装置に適用した場合について、図９（ａ）（ｂ）に基づいて説明する。図９（ａ）は窓照明装置において照明モジュールが消灯している状態を示す断面図であり、図９（ｂ）は窓照明装置において照明モジュールが点灯している状態を示す断面図である。
【０１０５】
本実施の形態の窓照明装置３０は、図９（ａ）（ｂ）に示すように、天井３１に配設されており、前記照明モジュール１Ａ・１Ｂのいずれかを備えている。上記窓照明装置３０では、照明モジュール１Ａ・１Ｂの導光板１０の第１面１１は屋内側に位置し、第２面１２は屋外側に位置している。
【０１０６】
窓照明装置３０は、消灯時には天窓として機能し、点灯時には室内照明として機能する。第１ＬＥＤ４ａ若しくは第２ＬＥＤ４ｂのいずれか一方、又は第１ＬＥＤ４ａ及び第２ＬＥＤ４ｂの両方から出射された光は、屋外側には殆ど出射しないため、窓照明装置３０を室内照明として利用してもロスは少ない。
【０１０７】
窓照明装置３０では、消灯時には透光性を有しているので採光を行うことができるが、太陽光の向きによっては、前記光出射構造部１３によって屋内への到達量を制御できる。例えば、導光板１０に対して小さい角度で入射する冬の太陽光は、導光板１０の透過率が高く、導光板１０に対して大きい角度で入射する夏の太陽光は、導光板１０の透過率が低くなるように光出射構造部１３の凹部の形状が規定されていてもよい。
【０１０８】
また、太陽光の向きが変わっても常に透過光が同じ角度成分を持つように光出射構造部１３の凹部の形状を規定しても良い。これにより、太陽光の角度にかかわらず採光された光を一定の場所に照射することも可能であり、逆に光を照射したくないエリアを避けて太陽光を採光することも可能である。
【０１０９】
また、前記保護用ガラス３に赤外線カット機能又は紫外線カット機能を持たせてもよい。
【０１１０】
また、シースルー型の太陽電池を本窓照明装置３０に対して屋外側に設置又は貼付を行うことによって、昼間は採光及び発電を行い、夜間は昼間の発電電力を用いて照明として用いることができると共に、屋外側へ漏れ出る損失光を太陽電池にて回収することによって低消費電力に寄与することが可能になる。
【０１１１】
また、本実施の形態の窓照明装置３０を例えば、洗面台及び浴室等に設置されている鏡の全部又は一部に貼り付けることによって、消灯時は透明のために通常の鏡として機能を阻害することはなく、点灯時においては貼り付け部が面照明として機能することによって鏡にて視認したい部分を最も近い位置から光照射することが可能な照明としての機能を持たせることが可能になる。
【０１１２】
〔実施の形態５〕
本発明の他の実施の形態について図１０に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１１３】
本実施の形態では、前記実施の形態１の照明モジュール１Ａに加えて光拡散部材を有する照明モジュール１Ｃを備えた電飾看板４０について、図１０（ａ）（ｂ）に基づいて説明する。図１０（ａ）は、本実施の形態における電飾看板４０の概略構成を示す断面図であり、図１０（ｂ）は、上記電飾看板４０の構成を示す正面図である。
【０１１４】
本実施の形態における電飾看板４０は、図１０（ａ）（ｂ）に示すように、カバー部材４２・４２と、上下部に設けられたフレーム４３・４３と、照明モジュール１Ｃと、画像が印刷された画像層としての画像フィルム４４ａ・４４ｂと、該画像フィルム４４ａ・４４ｂを保護する保護板４５・４５と、制御部４６とを備えている。
【０１１５】
上記カバー部材４２・４２及びフレーム４３・４３の内部には、導光板１０を挟み込むように２枚の光拡散部材５２・５２が配置されている。また、導光板１０の一方の側方には光源群５３が配置されており、光拡散部材５２・５２を挟み込む上記フレーム４３・４３が光源群５３を覆うようにして取り付けられている。上記光源群５３は、制御部４６に接続されている。
【０１１６】
上記照明モジュール１Ｃは、上記導光板１０と、光拡散部材５２・５２と、光源群５３とを含んで成っている。
【０１１７】
上記光源群５３は、導光板１０の長手方向の互いに対向する一対の側方に設けられており、該光源群５３は、回路基板５３ｂと該回路基板５３ｂに互いに間隔を置いて実装された光源としての複数の第１ＬＥＤ４ａ及び第２ＬＥＤ４ｂとからなっている。しかし、本発明においては、必ずしもこれに限らず、例えば、蛍光管又はその他の光源を採用することができる。
【０１１８】
上記導光板１０は、第１ＬＥＤ４ａからの光が入射する第１の端面１０ａを有していると共に、第２ＬＥＤ４ｂからの光が入射する第２の端面１０ｂを有している。さらに、導光板１０には、上記の照明モジュール１Ａと同様に、前述した三角柱の凹部からなる光出射構造部１３を第１面１１及び第２面１２にそれぞれ複数有している。そそて、導光板１０は、第１の端面１０ａと第２の端面１０ｂとから入射した光を、第１面１１と第２面１２との間において、全反射させつつ導光板１０の内部を伝播させる。そして、光出射構造部１３での散乱により全反射条件が崩れて第１面１１と第２面１２とから光が出射されるようになっている。
【０１１９】
光拡散部材５２・５２は、光を拡散する効果を有しており、例えば、ポリメチルメタアクリレート（ＰＭＭＡ）やポリカーネート（ＰＣ）、ポリスチレン（ＰＳ）等をベースとして、拡散剤が含有されたものが用いられる。
【０１２０】
制御部４６は、第１ＬＥＤ４ａ及び第２ＬＥＤ４ｂのＯＮ／ＯＦＦ、及び光量出力を制御することができる。第１ＬＥＤ４ａ及び第２ＬＥＤ４ｂの出力は電流量の調整、又はパルス幅変調（ＰＷＭ）等によって制御することができる。
【０１２１】
画像フィルム４４ａ・４４ｂは、電飾看板４０に表示する画像を印刷したフィルムであり、画像を印刷したものであれば材質は特に限定されるものではない。一般的には、ポリエチレンテレフタラート（ＰＥＴ）を基材とし、該ポリエチレンテレフタラート（ＰＥＴ）フィルム表面に印刷インクが定着し易いように定着剤等が施されたものが用いられる。
【０１２２】
保護板４５・４５は、画像フィルム４４ａ・４４ｂの傷や汚れが付くことを防止することを目的としている。また、保護板４５・４５は、保護する画像フィルム４４ａ・４４ｂの画像を損なうことがないように光透過性の高い透明材料で構成され、例えば、例えば、ＰＭＭＡ（アクリル）やＰＣ（ポリカーネート）、ＰＳ（ポリスチレン）等が用いられる。耐傷性や耐環境性の点よりＰＣが好ましい。
【０１２３】
上記構成を有する本実施の形態の電飾看板４０においては、前記実施の形態１の照明モジュール１Ａにおいて説明したと同様に、第１ＬＥＤ４ａ若しくは第２ＬＥＤ４ｂのいずれか一方、又は第１ＬＥＤ４ａ及び第２ＬＥＤ４ｂの両方を点灯することによって、導光板１０の第１面１１若しくは第２面１２のいずれか一方、又は第１面１１及び第２面１２の両方から光が出射される。
【０１２４】
したがって、例えば第１ＬＥＤ４ａを点灯することによって、導光板１０の第１面１１に光が出射された場合には、該導光板１０の第１面１１からの出射光は、光拡散部材５２及び画像フィルム４４ａを通して外側に出射される。この結果、図１０（ａ）の電飾看板４０の左側から画像フィルム４４ａの表示が見えることになる。
【０１２５】
一方、例えば第２ＬＥＤ４ｂを点灯することによって導光板１０の第２面１２に光が出射された場合には、該導光板１０の第２面１２からの出射光は、光拡散部材５２及び画像フィルム４４ｂを通して外側に出射される。この結果、図１０（ａ）の電飾看板４０の右側から画像フィルム４４ｂの表示が見えることになる。
【０１２６】
さらに、例えば第１ＬＥＤ４ａ及び第２ＬＥＤ４ｂの両方を点灯することによって、図１０（ａ）の電飾看板４０の左側から画像フィルム４４ａの表示が見えることになり、かつ図１０（ａ）の電飾看板４０の右側から画像フィルム４４ｂの表示が見えることになる。
【０１２７】
したがって、本実施の形態の照明モジュール１Ｃは、電飾看板４０にも適用できることが分かる。
【０１２８】
尚、本実施の形態では、照明モジュール１Ａ及び照明モジュール１Ｃを用いて両面表示する電飾看板４０について説明したが、必ずしもこれに限らず、照明モジュール１Ｂを用いて片面表示する電飾看板４０に適用することも可能である。
〔まとめ〕
本発明の態様１における照明モジュール１Ａ・１Ｂ・１Ｃは、互いに対向する第１の端面１０ａと第２の端面１０ｂとから入射した光を導光して光出射面から出射する透光性を有する導光部材（導光板１０）と、上記導光部材（導光板１０）の第１の端面１０ａに光を入射する第１の光源（第１ＬＥＤ４ａ）と、上記導光部材（導光板１０）の第２の端面１０ｂに光を入射する第２の光源（第２ＬＥＤ４ｂ）とを備えた照明モジュールであって、上記導光部材（導光板１０）は、該導光部材（導光板１０）の内部を導光する光の一部を光出射面側に導いて光出射面から外部に出射させる光出射構造部１３を該光出射面の対向面である該導光部材（導光板１０）の少なくとも裏面（第２面１２）に有しており、上記光出射構造部１３は、上記第１の光源（第１ＬＥＤ４ａ）からの光と上記第２の光源（第２ＬＥＤ４ｂ）からの光とでは、上記導光部材の内部を導光する光の光量に対する光出射面から出射される光の光量の比率が異なる光出射特性を有していることにより光出射特性が異なっており、上記第１の光源（第１ＬＥＤ４ａ）及び上記第２の光源（第２ＬＥＤ４ｂ）は、上記導光部材（導光板１０）内部に入射される光量をそれぞれ独立して制御可能となっていることを特徴としている。
【０１２９】
上記の発明によれば、照明モジュール１Ａ・１Ｂ・１Ｃは、第１の光源（第１ＬＥＤ４ａ）及び第２の光源（第２ＬＥＤ４ｂ）を用いて導光部材（導光板１０）の互いに対向する第１の端面１０ａ及び第２の端面１０ｂから光を入射する。そして、導光部材（導光板１０）の少なくとも裏面（第２面１２）には光出射構造部１３が形成されているので、第１の光源（第１ＬＥＤ４ａ）及び第２の光源（第２ＬＥＤ４ｂ）から入射したそれぞれの光は導光部材（導光板１０）の内部を導光し、その一部が光出射構造部１３によって光出射面側に導かれ、光出射面から外部に出射される。
【０１３０】
ここで、本発明においては、光出射構造部１３を導光部材（導光板１０）の裏面（第２面１２）にのみ設けた場合には、導光部材（導光板１０）の内部を導光する光は大部分が導光部材（導光板１０）の表面（第１面１１）の光出射面から出射され、導光部材（導光板１０）の裏面（第２面１２）からは僅かしか出射されない。このため、導光部材（導光板１０）の表面（第１面１１）の光出射面側の外方から照明モジュール１Ａ・１Ｂ・１Ｃを見た場合には、導光部材（導光板１０）が面状発光体となるので、透光性がなくなり遮光性を有するものとなる。一方、このとき、導光部材（導光板１０）の裏面（第２面１２）側の外方から照明モジュール１Ａ・１Ｂ・１Ｃを見た場合には、導光部材（導光板１０）からは光が出射されてこないので透光性を有し、導光部材（導光板１０）の裏面（第２面１２）側から導光部材（導光板１０）の表面（第１面１１）の光出射面側の外方を見ることができる。
【０１３１】
さらに、本発明において、光出射構造部１３を導光部材（導光板１０）の表面（第１面１１）及び裏面（第２面１２）の両方に設けた場合には、導光部材（導光板１０）の表面（第１面１１）及び裏面（第２面１２）の両方から光が出射されるので、導光部材（導光板１０）の表面（第１面１１）及び裏面（第２面１２）のいずれの側に対しても遮光性を有するものとなる。
【０１３２】
この結果、透光性及び遮光性の表裏面の切り替えが可能である。
【０１３３】
また、本発明では、光出射構造部１３は、第１の光源（第１ＬＥＤ４ａ）からの光と第２の光源（第２ＬＥＤ４ｂ）からの光とでは、上記導光部材（導光板１０）の内部を導光する光の光量に対する光出射面から出射される光の光量の比率が異なる光出射特性を有していることにより光出射特性が異なっている。尚、光出射特性とは、例えば、光出射面に対する光出射角度又は導光成分に対する光出射率である。これにより、第１の光源（第１ＬＥＤ４ａ）又は第２の光源（第２ＬＥＤ４ｂ）での点灯により光出射面から出射される明るさに差を設けることができる。
【０１３４】
これにより、光出射構造部１３の光出射特性として、導光部材（導光板１０）の内部を導光する光の光量に対する光出射面から出射される光の光量の比率を採用することができる。
【０１３５】
ここで、このようにするためには、例えば、導光部材（導光板１０）の裏面（第２面１２）に形成した例えば三角柱の凹部における側壁面の傾斜角度α’・β’を互いに異ならせることによって、導光部材（導光板１０）の内部を導光する光の光量に対する光出射面から出射される光の光量の比率が異なせることができる。
【０１３６】
さらに、本発明では、第１の光源（第１ＬＥＤ４ａ）及び上記第２の光源（第２ＬＥＤ４ｂ）は、上記導光部材（導光板１０）内部に入射される光量をそれぞれ独立して制御可能となっている。これにより、光量に差を設けた第１の光源（第１ＬＥＤ４ａ）又は第２の光源（第２ＬＥＤ４ｂ）での点灯により、光出射面から出射される明るさに差を設けることができる。
【０１３７】
この結果、照明の明るさを調整し得る照明モジュール１Ａ・１Ｂ・１Ｃを提供することができる。また、照明の明るさを調整することができるということは、透光性及び遮光性の段階的切り替えを行うことができるものとなる。
【０１３８】
また、本発明では、第１の光源（第１ＬＥＤ４ａ）と第２の光源（第２ＬＥＤ４ｂ）とを用いて互いに対向する二方向から導光部材（導光板１０）に光を入射させるので、第１の光源（第１ＬＥＤ４ａ）から遠方の光量不足となる領域に対しては、第２の光源（第２ＬＥＤ４ｂ）にて光量を補うことができる。このため、導光部材（導光板１０）の光出射面における全領域から充分に光を出射することができるので、全面の遮光性を確保することができる。さらに、電力量を増加して第１の光源（第１ＬＥＤ４ａ）のみで遠方の光量不足となる領域に対しても光量を十分にするよりも、第１の光源（第１ＬＥＤ４ａ）と第２の光源（第２ＬＥＤ４ｂ）とを用いて二方向から導光部材（導光板１０）に光を入射させた方が、結果的に電力量が小さくなる。
【０１３９】
したがって、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール１Ａ・１Ｂ・１Ｃを提供することができる。
【０１４０】
尚、本発明では、可動シャッター等の可動部材を可動させて光出射特性を制御する方式に比べて光出射特性の制御が容易となる。
【０１４１】
本発明の態様２における照明モジュール１Ａ・１Ｂ・１Ｃでは、態様１における照明モジュールにおいて、前記光出射構造部１３は、前記導光部材（導光板１０）の裏面（第２面１２）に形成された複数の凹部からなっており、上記凹部からなる光出射構造部の側壁面は、前記第１の光源側と前記第２の光源側とで互いに非対称な形状に形成されていることを特徴としている。
【０１４２】
これにより、導光部材（導光板１０）の光出射面とは反対側である該導光部材（導光板１０）の裏面（第２面１２）に形成された複数の凹部からなる光出射構造部１３は反射プリズムとして機能するので、光出射面側に光を反射することにより光出射面から光を出射することができる。
【０１４３】
そして、凹部からなる光出射構造部１３の側壁面は、第１の光源（第１ＬＥＤ４ａ）側と第２の光源（第２ＬＥＤ４ｂ）側とで互いに非対称な形状に形成されているとすることにより、凹部からなる光出射構造部１３の側壁の傾斜角度を第１の光源（第１ＬＥＤ４ａ）からの光の方向と第２の光源（第２ＬＥＤ４ｂ）からの光の方向との二方向で異なるようにすることができる。
【０１４４】
具体的には、例えば、凹部の側壁の傾斜角度α・β及び傾斜角度α’・β’を第１の光源（第１ＬＥＤ４ａ）からの光の方向と第２の光源（第２ＬＥＤ４ｂ）からの光の方向との二方向で異なるように構成することにより、上記第１の光源（第１ＬＥＤ４ａ）からの光と上記第２の光源（第２ＬＥＤ４ｂ）からの光とでは光出射特性が異なるようにすることが可能である。
【０１４５】
この結果、導光部材（導光板１０）の裏面（第２面１２）に凹部を形成するという簡単な構成で、第１の光源（第１ＬＥＤ４ａ）からの光と第２の光源（第２ＬＥＤ４ｂ）からの光とでは光出射特性が異なっているという光出射構造部１３を形成することができる。
【０１４６】
本発明の態様３における照明モジュール１Ａ・１Ｂ・１Ｃでは、態様２における照明モジュールにおいて、前記光出射構造部１３における凹部の側壁は、前記導光部材（導光板１０）の裏面（第２面１２）に対して傾斜した形状又は垂直に切り立った形状にてなっており、上記光出射構造部１３における凹部の側壁と上記導光部材（導光板１０）の裏面（第２面１２）とのなす傾斜角度α’・β’は、前記第１の光源（第１ＬＥＤ４ａ）側の側壁と前記第２の光源（第２ＬＥＤ４ｂ）側の側壁とでは異なっていることを特徴としている。
【０１４７】
このように、光出射構造部１３の凹部の側壁の傾斜角度α’・β’が、第１の光源（第１ＬＥＤ４ａ）からの光の方向と第２の光源（第２ＬＥＤ４ｂ）からの光の方向との二方向で異なることにより光出射特性に違いを生じさせることができる。
【０１４８】
すなわち、凹部の側壁の傾斜角度θと光出射方向とには大きな相関がある。このため、傾斜角度α’・β’の違いにより、二方向の光に対して光出射方向が異なるようにすることができる。
【０１４９】
また、凹部の側壁の傾斜角度α’・β’を二方向の光に対して互いに異なるようにすることにより、光出射面からの光出射率を異ならせるようにすることができる。
【０１５０】
この結果、本発明では、光出射角度と光出射率とを同時に制御することが可能となる。
【０１５１】
本発明の態様４における照明モジュール１Ｂでは、態様１〜３のいずれか１の照明モジュールにおいて、前記導光部材（導光板１０）の表面（第１面１１）に前記光出射面である第１の光出射面が形成され、かつ該導光部材（導光板１０）の裏面（第２面１２）に該光出射面である第２の光出射面が形成されていると共に、上記導光部材（導光板１０）の内部を導光する光の一部を上記第１の光出射面側に導いて上記第１の光出射面から外部に出射させる前記光出射構造部１３である第１の光出射構造部１３が上記第２の光出射面に形成されており、かつ上記導光部材（導光板１０）の内部を導光する光の一部を上記第２の光出射面側に導いて該第２の光出射面から外部に出射させる上記光出射構造部１３である第２の光出射構造部１３が上記第１の光出射面に形成されており、上記第１の光出射構造部１３と上記第２の光出射構造部１３とは、上記第１の光源（第１ＬＥＤ４ａ）からの光と上記第２の光源（第２ＬＥＤ４ｂ）からの光のうち少なくとも一方に対する光出射特性が異なっていることを特徴としている。
【０１５２】
本発明では、導光部材（導光板１０）の表面（第１面１１）及び裏面（第２面１２）の両面に互いにタイプが異なる光出射構造部１３を配置する。これにより、導光部材（導光板１０）の表面（第１面１１）及び裏面（第２面１２）の光出射量を、第１の光源（第１ＬＥＤ４ａ）からの光の方向と第２の光源（第２ＬＥＤ４ｂ）からの光の方向との互いに対向する二方向の第１の光源（第１ＬＥＤ４ａ）及び第２の光源（第２ＬＥＤ４ｂ）の出力制御により制御することができる。
【０１５３】
また、照明モジュール１Ｂを例えば窓としての機能を兼ねた窓照明装置に使用する場合において、導光部材（導光板１０）の表面（第１面１１）及び裏面（第２面１２）の光出射量を制御することにより、窓の反対側に対する視認性つまり所謂シースルー性を制御することができる。
【０１５４】
さらに、照明モジュール１Ａを例えば風呂場等のプライバシーが求められるドア照明装置２０として使用すれば、入浴中に外部から視認されないようなドア照明として活用することができる。
【０１５５】
本発明の態様７における照明モジュール１Ｂでは、態様１〜４のいずれか１の照明モジュールにおいて、前記導光部材（導光板１０）の裏面（第２面１２）における第１領域（第１表示領域Ｓ１）に前記光出射構造部１３である第３の光出射構造部１３が形成されていると共に、上記第１領域（第１表示領域Ｓ１）と同一の面であって該第１領域（第１表示領域Ｓ１）とは異なる第２領域（第２表示領域Ｓ２）に前記光出射構造部１３である第４の光出射構造部１３が形成されており、上記第３の光出射構造部１３と上記第４の光出射構造部１３とは、上記第１の光源（第１ＬＥＤ４ａ）からの光と上記第２の光源（第２ＬＥＤ４ｂ）からの光のうち少なくとも一方に対する光出射特性が異なっていることを特徴としている。
【０１５６】
本発明では、導光部材（導光板１０）における同一面の異なる領域に異なるタイプの光出射構造部１３を配置する。これにより、互いに対向する二方向の第１の光源（第１ＬＥＤ４ａ）及び第２の光源（第２ＬＥＤ４ｂ）の出力制御により、導光部材（導光板１０）の出射領域を制御することができる。
【０１５７】
本発明の一態様に係るドア照明装置２０では、前記記載の照明モジュール１Ａ・１Ｂ・１Ｃを備えていることを特徴としている。
【０１５８】
上記の発明によれば、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール１Ａ・１Ｂ・１Ｃを備えたドア照明装置２０を提供することができる。
【０１５９】
例えば、照明モジュール１Ａ・１Ｂ・１Ｃを風呂用ドアとしての機能を兼ねたドア照明装置２０に使用する場合において、導光部材（導光板１０）の表面（第１面１１）及び裏面（第２面１２）の光出射量を制御することにより、ドアの反対側に対する視認性つまり所謂シースルー性を制御し得るドア照明装置２０を提供することができる。
【０１６０】
本発明の一態様に係る窓照明装置３０では、前記記載の照明モジュール１Ａ・１Ｂ・１Ｃを備えていることを特徴としている。
【０１６１】
上記の発明によれば、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール１Ａ・１Ｂ・１Ｃを備えた窓照明装置３０を提供することができる。
【０１６２】
例えば、照明モジュール１Ａ・１Ｂ・１Ｃを例えば窓としての機能を兼ねた窓照明装置３０に使用する場合において、導光部材（導光板１０）の表面（第１面１１）及び裏面（第２面１２）の光出射量を制御することにより、窓の反対側に対する視認性つまり所謂シースルー性を制御し得る窓照明装置３０を提供することができる。
【０１６３】
本発明の一態様に係る電飾看板４０では、前記記載の照明モジュール１Ａ・１Ｂ・１Ｃを備えていることを特徴としている。
【０１６４】
上記の発明によれば、消費電力を抑えて透光性及び遮光性の表裏面の切り替えが可能であり、かつ透光性及び遮光性の段階的切り替え、及び照明の明るさの調整が可能となる照明モジュール１Ａ・１Ｂ・１Ｃを備えた電飾看板４０を提供することができる。
【０１６５】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６６】
本発明は、互いに対向する２つの端面から入射した光を導光して光出射面から出射する導光部材と、導光部材の第１の端面に光を入射する第１の光源と、導光部材の第２の端面に光を入射する第２の光源とを備えた照明モジュールに適用することができる。また、その照明モジュールは、例えばドアに取り付けられるドア照明装置、天窓を含む窓の窓照明装置、又はドアや窓以外のパーティション等の住宅用建材、建造物の壁面や床面、戸棚やキッチン収納等の家具、門柱、又は公共向けエクステリア（フェンス、サイン、掲示板、誘導灯、手すり等）、又は電飾看板等の照明装置に適用することが可能である。
【符号の説明】
【０１６７】
１Ａ      照明モジュール
１Ｂ      照明モジュール
１Ｃ      照明モジュール
４ａ      第１ＬＥＤ（第１の光源）
４ｂ      第２ＬＥＤ（第２の光源）
１０        導光板（導光部材）
１０ａ      第１の端面
１０ｂ      第２の端面
１１        第１面（導光部材の表面）
１２        第２面（導光部材の裏面）
１３        光出射構造部（光出射構造部、第１の光出射構造部〜第４の光出射構造部）
２０        ドア照明装置
３０        窓照明装置
４０        電飾看板
４４ａ      画像フィルム
４４ｂ      画像フィルム
５２        光拡散部材
Ｌａ１      出射光
Ｌａ２      出射光
Ｌｂ１      出射光
Ｌｂ２      出射光
Ｓ１        第１表示領域（第１領域）
Ｓ２        第２表示領域（第２領域）
α・β      傾斜角度
α’・β’  傾斜角度
【図１】
2014146551.tif 000003
【図２】
2014146551.tif 000004
【図３】
2014146551.tif 000005
【図４】
2014146551.tif 000006
【図５】
2014146551.tif 000007
【図６】
2014146551.tif 000008
【図７】
2014146551.tif 000009
【図８】
2014146551.tif 000010
【図９】
2014146551.tif 000011
【図１０】
2014146551.tif 000012